(57)【特許請求の範囲】
【請求項１】
合成樹脂により円筒状に成形された把手と、この把手の上端に形成された凹部と、下端側がこの凹部内に収納されてなるとともに上端側は半球状に膨出してなり花の茎が差し込まれる吸水材と、この吸水材の上端側表面を覆うとともに多数の開口が形成されてなる蓋部とを備えてなる花束保持具に取り付けられるものであって、線材からなり基端側中途部が上記蓋部に取り付けられ先端側にかけて徐々に上記把手と略平行となるよう湾曲してなる第１の補強材と、線材からなり上記第１の補強材に固定されてなるとともに上記蓋部を中心とした周囲に配設される第２の補強材とを備えてなることを特徴とする花束保持具用補強材。
【請求項２】
上記第１の補強材は、針金からなり一端には略円弧状に折曲された円弧状部が形成され、他端は鋭角が形成されてなるとともに、一端から他端に亘って徐々に湾曲され他端は上記把手と略平行とされてなる請求項１記載の花束保持具用補強材。
【請求項３】
合成樹脂により円筒状に成形された把手と、この把手の上端に形成された凹部と、下端側がこの凹部内に収納されてなるとともに上端側は半球状に膨出してなり花の茎が差し込まれる吸水材と、この吸水材の上端側表面を覆うとともに多数の開口が形成されてなる蓋部とを備えてなる花束保持具に取り付けられるものであって、略直線状に成形された第１の骨部と、この第１の骨部から左右に延在してなる多数の第２の骨部と、上記第１の骨部の基端側に形成されてなるとともに上記吸水材に差し込まれる差し込み部とが一体成形されてなることを特徴とする花束保持具用補強材。
【発明の詳細な説明】
【０００１】
【産業上の利用分野】
本発明は、例えば結婚式の際に花嫁が持つブーケ等の花束保持具用補強材に関するものである。
【０００２】
【従来の技術】
従来より、例えば結婚式の際に花嫁が持つブーケ等の花束保持具として、図８に示す花束保持具５０が提案され使用されている。この花束保持具５０は、花嫁等が手で把持する把手５１と、この把手５１の上端に形成された凹部５２と、下端がこの凹部５２内に収容され上端側は半球状の蓋部５３により覆われてなる吸水材５４とから概略構成されてなるものである。上記把手５１は、合成樹脂により略円筒形状に形成されてなる。また上記蓋部５３は、合成樹脂により略お椀状に成形されてなるとともに花の茎が差し込まれる多数開口５３ａが形成されている。そして、このように構成された花束保持具５０は、花Ｆの茎Ｋの先端に針金Ｗを巻付けこの針金Ｗと茎Ｋを上記開口５３ａから内部の吸水材５４内に突き刺し、突き抜けた針金Ｗを上記蓋部５３に固定することにより該花Ｆをこの花束保持具５０に支持させて使用される。そして、こうした作業を繰り返すことにより、この花束保持具５０に支持された多数の花Ｆ全体により図示しないブーケが作成される。
【０００３】
【発明が解決しようとする課題】
しかしながら、上述した花束保持具５０のみによりブーケ等の花束を作成しようとする場合、多数の花Ｆは基端側が上記花束保持具５０の上端に支持されるに過ぎないので、作成者が意図する形状に仕上げることは極めて困難である。特に、ブーケを作成しようとする場合には、最も美しいとされる各種の形状があり、こうした形状に仕上げるにはある程度の熟練が必要となるばかりではなく、またこうした形状に仕上げるためには、使用できる花の種類がある程度限定されてしまうのが実情である。
【０００４】
そこで、本発明は、花束を作成する場合に生ずる従来の課題を解決するために提案されたものであって、熟練を要することなく簡単に所定の形状の花束を作成することができるとともに、花の種類が限定されることのない花束保持具用補強材を提供することを目的とするものである。
【０００５】
【課題を解決するための手段】
本発明は、上述した目的を達成するために提案されたものであって、第１の発明は、合成樹脂により円筒状に成形された把手と、この把手の上端に形成された凹部と、下端側がこの凹部内に収納されてなるとともに上端側は半球状に膨出してなり花の茎が差し込まれる吸水材と、この吸水材の上端側表面を覆うとともに多数の開口が形成されてなる蓋部とを備えてなる花束保持具に取り付けられるものであって、線材からなり基端側中途部が上記蓋部に取り付けられ先端側にかけて徐々に上記把手と略平行となるよう湾曲してなる第１の補強材と、線材からなり上記第１の補強材に固定されてなるとともに上記蓋部を中心とした周囲に配設される第２の補強材とを備えてなることを特徴とするものである。なお、上記第１の補強材は、針金からなり一端には略円弧状に折曲された円弧状部が形成され、他端は鋭角が形成されてなるとともに、一端から他端に亘って徐々に湾曲され他端は上記把手と略平行とされてなるものであっても良い。
また、第２の発明は、合成樹脂により円筒状に成形された把手と、この把手の上端に形成された凹部と、下端側がこの凹部内に収納されてなるとともに上端側は半球状に膨出してなり花の茎が差し込まれる吸水材と、この吸水材の上端側表面を覆うとともに多数の開口が形成されてなる蓋部とを備えてなる花束保持具に取り付けられるものであって、略直線状に成形された第１の骨部と、この第１の骨部から左右に延在してなる多数の第２の骨部と、上記第１の骨部の基端側に形成されてなるとともに上記吸水材に差し込まれる差し込み部と、が一体成形されてなることを特徴とするものである。
【０００６】
【作用】
上述した第１の発明に係る花束保持具用補強材によれば、第１及び第２の補強材により多数の花が支持補強されることから、これらの補強材の形状に対応した花束の形状が簡単に作成できる。また、第１及び第２の補強材は、何れも線材からなることから、花の茎をこれらの線材に絡ませて支持させ得るので、茎の固い花ばかりではなく、茎が蔓等の花でも使用することができる。さらに、この花束保持具用補強材は、基端側中途部が上記蓋部に取り付けられ先端側にかけて徐々に上記把手と略平行となるよう湾曲してなる第１の補強材と、線材からなり上記第１の補強材に固定されてなるとともに上記蓋部を中心とした周囲に配設される第２の補強材とを備えてなるので、第２の補強材により花束保持具の周囲に略円形状に広がる形状とするとともに、第１の補強材により花束保持具から徐々に下方にかけて流れるような形状とすることができる。
なお、上記第１の補強材を、針金からなり一端には略円弧状に折曲された円弧状部が形成され、他端は鋭角が形成されてなるとともに、一端から他端に亘って徐々に湾曲され他端は上記把手と略平行とされてなるものを使用する場合には、花束保持具に対して強固に取り付けることができるとともに、花束保持具から先端にかけて二つの針金が形成されるので、茎を一方の針金の下側から他方の針金の上側に掛け止めすることができるので花束を一層容易に所定の形状とすることができる。さらに、この第１の補強材は針金からなるので、作成者は針金を任意の形状に折り曲げることにより、熟練を要することなく所望の形状の花束を簡単に作成することができる。
また、第２の発明に係る花束保持具用補強材によれば、差し込み部を花束保持具を構成する吸水材に差し込むことにより取り付けられることから、第１の発明に係る花束保持具用補強材に比べて簡単に花束保持具に取り付けることができ、また、この補強材は第１及び第２の骨部と差し込み部とは合成樹脂により一体成形されてなるので、低コストで量産することができる。
【０００７】
【実施例】
以下、本発明の実施例に係る花束保持具用補強材について、図面を参照しながら詳細に説明する。先ず、第１の実施例に係る花束保持具用補強材について説明する。なお、花束保持具５０については、従来の技術の欄で説明したものと同一の構成であることから詳細な説明は省略する。
【０００８】
この実施例に係る花束保持具用補強材１は、図１に示すように、花束保持具５０の蓋部５３に取り付けられる第１の補強材２と、この第１の補強材２に取り付けられる第２の補強材３とから構成されている。上記第１及び第２の補強材２，３は、何れも針金からなるものであって、外周には緑色のビニールが被覆されている。そして、上記第１の補強材２は、この緑色のビニールが被覆された針金の中央を円弧状に折曲し両端を固定バンド４により固定してなるものであり、前述のように花束保持具５０の蓋部５３に対して複数の固定バンド４により蓋部５３に固定されている。一方、前記第２の補強材３は、図１又は図２に示すように、緑色のビニールが被覆されてなる針金をリング状に成形したものであって、上記花束保持具５０を構成する蓋部５３の径よりも大きな径を有し、該蓋部５３が中心に位置するよう前記第１の補強材２に固定バンド４を介して固定されている。
【０００９】
したがって、このように構成された花束保持具補強材１によれば、図３に示すように、茎Ｋの短い（或いは茎を短く切断した）花Ｆを吸水材５４に突き刺し、第２の補強材３により支持させ、また、茎Ｋの長い花Ｆは同様に吸水材５４に突き刺すとともに、第１の補強材２上に載置したり或いは巻付ける等することにより、熟練を要することなく初心者でも簡単に所定の形状の花束とすることができる。また、個々の花Ｆは、これら第１及び第２の補強材２，３により補強支持されることから、従来のように茎の先端に針金を巻付けた後に吸水材５４に突き刺して該針金を蓋部５３に縛りつける作業は必要とされないので、短時間に作成することができ、特に、この花束保持具用補強材１では、第１及び第２の補強材２，３は何れも針金により構成されていることから、花束の形状は作成者が所望する任意の形状とすることができる。また、これら第１及び第２の補強材２，３を構成する針金には緑色のビニールが被覆されていることから、外部にこれらの補強材２，３が露出した場合であっても違和感がない。また、これら第１及び第２の補強材２，３により個々の花が支持補強されることから、茎の固い花ばかりではなく、蔓に咲く花をも使用することができるので、花束の形状ばかりではなく使用する花のバリエーションも広がる。さらに、こうした第１及び第２の補強材２，３により花束又はブーケを作成した後には、簡単に形が崩れたり或いは花が脱落することも防止することができる。
【００１０】
なお、上記第１の実施例に係る花束保持具用補強材１では、第２の補強材３の形状がリング状に成形されたものを図示して説明したが、この第２の補強材３の形状は、図４に第２の実施例として示す花束保持具用補強材１０を構成する第２の補強材１１のように、六角形状など多角形状に成形したものや、図５に第３の実施例として示す花束保持具用補強材２０を構成する第２の補強材２１のように、星型に成形されてなるものであっても良い。すなわち、上記第２の実施例に係る花束保持具用補強材１０は、図４に示すように、前記第１の実施例に係る第１の補強材２と同一の構成からなる第１の補強材１２と、上記第２の補強材１１とからなるものであって、上記第１の補強材１２は、固定バンド１３を介して花束保持具５０を構成する蓋部５３に固定され、また第２の補強材１１は、同様の固定バンド１３を介して上記第１の補強材１２に固定されてなるものである。一方、第３の実施例に係る花束保持具用補強材２０は、図５に示すように、一本の針金の中央を鋭角状に折曲されてなり両端は花束保持具５０を構成する蓋部５３に固定バンド２３を介して固定された第１の補強材２２と、前述のように、星型に成形され固定バンド２３を介して上記蓋部５３及び第１の補強材２２に固定されてなる第２の補強材２１とから構成されてなるものである。
【００１１】
このように構成された第２及び第３の実施例に係る花束保持具用補強材１０，２０による場合であっても、上記第１の実施例に係る花束保持具用補強材１と同様の作用効果を実現することができる。
【００１２】
次に、本発明の第４の実施例に係る花束保持具用補強材３０について説明する。この花束保持具用補強材３０は、可撓性を有する合成樹脂により一体成形されてなるものであって、図６に示すように、直線状に成形されてなる第１の骨部３１と、この第１の骨部３１の左右両側に多数（本実施例では左右それぞれ８つ）形成されてなる第２の骨部３２と、上記第１の骨部３１の基端に形成されてなる差し込み部３３とから構成されてなるものである。上記第１の骨部３１は、基端から先端に亘って徐々に幅が狭いものとなされている。また、上記多数の第２の骨部３２は、それぞれ少なくとも茎が挿入し得る間隔を有してなる。また、上記差し込み部３３は、前述のように第１の骨部３１の基端にＬ字状に成形されてなるものであり、花束保持具５０を構成する蓋部５３の開口５３ａから吸水材５４内に差し込まれるものである。
【００１３】
上述した第４の実施例に係る花束保持具用補強材３０によれば、差し込み部３３を吸水材５４内に差し込むことにより簡単に花束保持具５０に取り付けることができ、また、多数の第２の骨部３２に個々の花の茎の中途部を掛止させることにより、前記第１の実施例に係る花束保持具用補強材１と同じように、簡単に所定形状の花束を作成することができる。また、茎の固い花ばかりではなく、茎が蔓になっている花でも所定の形状の花束を作成することができる。特に、この実施例に係る花束保持具用補強材３０では、第１の骨部３１の幅が基端側から先端側にかけて徐々に狭くされていることから、多数の花を掛止させることにより、該花の自重により徐々に下方に湾曲され先端側は花束保持具５０を構成する把手５１の長さ方向と略平行とされるので、結婚式に花嫁が持つブーケとして最も美しいと言われる形状とすることができる。
【００１４】
なお、上記第４の実施例に係る花束保持具用補強材３０では、第２の骨部３２を全て同一の長さとされているものを図示して説明したが、これら第２の骨部３２は、基端側から先端側に掛けて徐々に短いものとしても良い。
【００１５】
次に本発明の第５の実施例に係る花束保持具用補強材４０について説明する。この花束保持具用補強材４０は、緑色の合成樹脂により一体成形されてなるものであって、図７に示すように、外形形状は細長い二等辺三角形状に成形され内部にはやはり二等辺三角形状の開口４１ａが形成されてなる第１の枠骨部４１と、この第１の骨部４１の左右両側から多数（本実施例では８つ）延在してなる第２の骨部４２と、上記第１の骨部４１の基端に形成され花束保持具５０を構成する吸水材５４内に差し込まれる差し込み部４３とから構成されてなるものである。そして、上記第１の骨部４１は、上記差し込み部４３が吸水材５４に差し込まれた場合に花束保持具５０から徐々に湾曲して先端が把手５１と略平行となるよう湾曲されてなるものである。また、上記第２の骨部４２の先端にはＬ字状に折曲されてなる起立部４２ａがそれぞれ形成されている。
【００１６】
上述した構成に係る花束保持具用補強材４０によれば、前記各実施例に係る花束保持具用補強材１，１０，２０，３０による場合と同様に、熟練を要することなく簡単に花束を所定の形状とすることができるとともに、茎が蔓となっている花でも使用することができ、また、一旦作成された花束の形状が容易に崩れることがない。
【００１７】
【発明の効果】
前述した本発明の各実施例の説明からも明らかなように、本発明に係る花束保持具用補強材によれば、第１及び第２の補強材により多数の花が支持補強されることから、これらの補強材の形状に対応した花束の形状が簡単に作成できる。したがって、熟練を要することなく初心者でも簡単に美しい形状の花束を作成することができる。また、第１及び第２の補強材は、何れも線材からなることから、花の茎をこれらの線材に絡ませて支持させ得るので、茎の固い花ばかりではなく、茎が蔓等の花でも使用することができるので、従来では使用できなかった種類の花でも使用することができ、作成する花束のバリエーションを広げることができる。
【００１８】
さらに、本発明に係る花束保持具用補強材は、基端側中途部が上記蓋部に取り付けられ先端側にかけて徐々に上記把手と略平行となるよう湾曲してなる第１の補強材と、線材からなり上記第１の補強材に固定されてなるとともに上記蓋部を中心とした周囲に配設される第２の補強材とを備えてなるので、個々の花の茎を花束保持具を構成する吸水材に差し込むとともに、茎の中途部を第１及び第２の補強材に絡ませることにより、初心者でも簡単に、上方を盛り上がった状態とし下方に掛けて流れるような形状とすることができる。
【００１９】
なお、上記第１の補強材を、針金からなり一端には略円弧状に折曲された円弧状部が形成され、他端は鋭角が形成されてなるとともに、一端から他端に亘って徐々に湾曲され他端は上記把手と略平行とされてなるものを使用する場合には、花束保持具に対して強固に取り付けることができるとともに、花束保持具から先端にかけて二つの針金が形成され、茎を一方の針金の下側から他方の針金の上側に掛け止めすることができるので花束を一層容易に所定の形状とすることができる。さらに、この第１の補強材は針金からなるので、作成者は針金を任意の形状に折り曲げることにより、熟練を要することなく所望の形状の花束を簡単に作成することができる。
【００２０】
また、第２の発明に係る花束保持具用補強材によれば、差し込み部を花束保持具を構成する吸水材に差し込むことにより取り付けられることから、第１の発明に係る花束保持具用補強材に比べて簡単に花束保持具に取り付けることができ、また、この補強材は第１及び第２の骨部と差し込み部とは合成樹脂により一体成形されてなるので、低コストで量産することができる。
【図面の簡単な説明】
【図１】図１は、第１の実施例に係る花束保持具用補強材の外観を示す斜視図である。
【図２】図２は、図１に示す花束保持具用補強材の側面図である。
【図３】図３は、図１に示す花束保持具用補強材により花を取り付けた状態を示す平面図である。
【図４】図４は、第２の実施例に係る花束保持具用補強材を示す平面図である。
【図５】図５は、第３の実施例に係る花束保持具用補強材を示す平面図である。
【図６】図６は、第４の実施例に係る花束保持具用補強材を示す斜視図である。
【図７】図７は、第５の実施例に係る花束保持具用補強材を示す斜視図である。
【図８】図８は、花束保持具を示す側面図である。
【符合の説明】
１  花束保持具用補強材
２  第１の補強材
３  第２の補強材
１０  花束保持具用補強材
１１  第２の補強材
１２  第１の補強材
２０  花束保持具用補強材
２１  第２の補強材
２２  第１の補強材
３０  花束保持具用補強材
３１  第１の骨部
３２  第２の骨部
３３  差し込み部
４０  花束保持具用補強材
４１  第１の骨部
４２  第２の骨部
４３  差し込み部
５０  花束保持具
５１  把手
５３  蓋部
５４  吸水材
Ｆ  花
Ｋ  茎
【図１】
0003582738.tif 000002
【図２】
0003582738.tif 000003
【図３】
0003582738.tif 000004
【図４】
0003582738.tif 000005
【図５】
0003582738.tif 000006
【図６】
0003582738.tif 000007
【図７】
0003582738.tif 000008
【図８】
0003582738.tif 000009